(57)【要約】【課題】製造過程で高い精度が要求されず、織物の表面に現れる織組織の立体感をリアルに再現した装飾材を提供する。【解決手段】反射層の反射面の上方に万線層を有する装飾材において、万線層を一対の万線模様を重ねて形成し、両万線模様を互いに対応するように複数の区画に区分けると共に各区画に複数の線画を交差させないように並べてなる単位万線模様を形成し、両万線模様の単位万線模様を傾きの違いによって複数種類に種別すると共に所定パターンで配列し、両万線模様の互いに対応する単位万線模様を一方の単位万線模様を構成する各線画が他方の単位万線模様を構成する少なくとも一つの線画に対して交差するように重ね、万線層の上面又は下面のいずれか一方を構成する各線画の面を平坦状に形成すると共に他方を構成する各線画の面を突起状に形成し、反射層の反射面を万線層の下面に沿った形状にすると共に装飾材の最上面を万線層の上面に沿った形状にする。【選択図】  図１
2015093423.tif 000002
【特許請求の範囲】
【請求項１】
反射層の反射面の上方に万線層を有する装飾材であって、万線層は一対の万線模様を上下に重ねて形成されており、両万線模様は互いに対応するように配置された複数の区画に区分けされていると共に各区画に複数の線画を交差させないように並べてなる単位万線模様が形成されており、少なくともいずれかの万線模様を構成する各線画が透過性を有しており、両万線模様の単位万線模様は傾きの違いによって複数種類に種別できると共に各種類の万線模様が所定パターンで配列されており、両万線模様の互いに対応する区画に形成された単位万線模様は一方の単位万線模様を構成する各線画が他方の単位万線模様を構成する少なくとも一つの線画に対して交差するように重なっており、万線層の上面又は下面のいずれか一方を構成する各線画の面が平坦状に形成されていると共に他方を構成する各線画の面が突起状に形成されており、反射層の反射面が万線層の下面を構成する各線画の面形状に沿った形状に形成されていると共に装飾材の最上面が万線層の上面を構成する各線画の面形状に沿った形状に形成されていることを特徴とする装飾材。
【請求項２】
反射層の反射面の上方に透過性を有する着色層が積層されている請求項１記載の装飾材。
【請求項３】
少なくともいずれかの万線模様を構成する各線画が透過性を有すると共に着色層と同系色に着色されている請求項２記載の装飾材。
【発明の詳細な説明】
【技術分野】
【０００１】
本発明は、装飾材に関するものである。
【背景技術】
【０００２】
周知のとおり、従来から各種用途に使用される装飾材として木目を再現した木目調の装飾材が存在するが、近年、木目調の装飾材に変わってカーボンファイバークロスを再現したカーボンファイバークロス調（カーボン調）の装飾材が好んで使用されるようになっている。
【０００３】
ところで、カーボンファイバークロス調の装飾材は、織物であるカーボンファイバークロスの織組織を再現しなければならず、織物の織組織は表面が緩やかな凹凸の繰り返していることから、装飾材によって織物の立体感を再現することが非常に困難であり、この点を克服するために工夫を凝らした多くの装飾材が開発されている。
【０００４】
前記装飾材としては、例えば、特許文献１には、 透明樹脂シート状物の一面に、平行な条模様よりなる複数の単位模様よりなり、隣接する単位模様が互いに条方向が異なるように規則的に組み合された第１のスクリーン印刷模様を形成し、該透明樹脂シート状物の他面に、第１のスクリーン印刷模様における単位模様の並行な条模様と正確に一致するように第２のスクリーン印刷模様を形成してなることを特徴とするカーボン織模様を有する印刷シートが開示されている。
【先行技術文献】
【特許文献】
【０００５】
【特許文献１】特開平９−９９６２４号公報
【発明の概要】
【発明が解決しようとする課題】
【０００６】
しかし、前記特許文献１に開示された印刷シートにおいては、第一のスクリーン印刷模様と第二のスクリーン印刷模様とを並行な条模様が正確に一致するように積層する必要があるため、製造過程において高い精度が要求されるという問題点があった。
【０００７】
そこで、本発明者は、製造過程で高い精度が要求されず、織物の表面に現れる織組織の立体感をリアルに再現した装飾材を得ることを技術的課題として、その具現化をはかるべく、試行錯誤的に試作・実験を重ねた結果、反射層の反射面の上方に万線層を有する装飾材において、万線層を一対の万線模様を上下に重ねて形成し、両万線模様を互いに対応するように配置された複数の区画に区分けると共に各区画に複数の線画を交差させないように並べてなる単位万線模様を形成し、少なくともいずれかの万線模様を構成する各線画に透過性のものを採用し、両万線模様の単位万線模様を傾きの違いによって複数種類に種別すると共に各種類の万線模様を所定パターンで配列し、両万線模様の互いに対応する区画に形成された単位万線模様を一方の単位万線模様を構成する各線画が他方の単位万線模様を構成する少なくとも一つの線画に対して交差するように重ね、万線層の上面又は下面のいずれか一方を構成する各線画の面を平坦状に形成すると共に他方を構成する各線画の面を突起状に形成し、反射層の反射面を万線層の下面を構成する各線画の面形状に沿った形状に形成すると共に装飾材の最上面を万線層の上面を構成する各線画の面形状に沿った形状に形成すれば、織物の表面に現れる織組織の立体感をリアルに再現することができるという刮目すべき知見を得、前記技術的課題を達成したものである。
【課題を解決するための手段】
【０００８】
前記技術的課題は、次の通りの本発明によって解決できる。
【０００９】
すなわち、本発明は、反射層の反射面の上方に万線層を有する装飾材であって、万線層は一対の万線模様を上下に重ねて形成されており、両万線模様は互いに対応するように配置された複数の区画に区分けされていると共に各区画に複数の線画を交差させないように並べてなる単位万線模様が形成されており、少なくともいずれかの万線模様を構成する各線画が透過性を有しており、両万線模様の単位万線模様は傾きの違いによって複数種類に種別できると共に各種類の万線模様が所定パターンで配列されており、両万線模様の互いに対応する区画に形成された単位万線模様は一方の単位万線模様を構成する各線画が他方の単位万線模様を構成する少なくとも一つの線画に対して交差するように重なっており、万線層の上面又は下面のいずれか一方を構成する各線画の面が平坦状に形成されていると共に他方を構成する各線画の面が突起状に形成されており、反射層の反射面が万線層の下面を構成する各線画の面形状に沿った形状に形成されていると共に装飾材の最上面が万線層の上面を構成する各線画の面形状に沿った形状に形成されているものである。
【００１０】
また、本発明に係る装飾材は、前記装飾材において、反射層の反射面の上方に透過性を有する着色層が積層されているものである。
【００１１】
また、本発明に係る装飾材は、前記装飾材において、少なくともいずれかの万線模様を構成する各線画が透過性を有すると共に着色層と同系色に着色されているものである。
【００１２】
さらに、本発明の他の実施の形態に係る装飾材は、反射層の反射面の上方に積層された万線層と該万線層の上方に積層された基材層とを有する装飾材であって、万線層は一対の万線模様を上下に重ねて形成されており、両万線模様は互いに対応するように配置された複数の区画に区分けされていると共に各区画に複数の線画を交差させないように並べてなる単位万線模様が形成されており、少なくともいずれかの万線模様を構成する各線画が透過性を有しており、両万線模様の単位万線模様は傾きの違いによって複数種類に種別できると共に各種類の万線模様が所定パターンで配列されており、両万線模様の互いに対応する区画に形成された単位万線模様は一方の単位万線模様を構成する各線画が他方の単位万線模様を構成する少なくとも一つの線画に対して交差するように重なっており、万線層の上面を構成する各線画の面が平坦状に形成されていると共に下面を構成する各線画の面が突起状に形成されており、反射層の反射面が万線層の下面を構成する各線画の面形状に沿った凹凸形状に形成されていると共に装飾材の最上面が万線層の上面を構成する各線画の面形状に沿った平坦形状に形成されているものである。
【００１３】
また、本発明の他の実施の形態に係る装飾材は、反射層の反射面の上方に万線層を有する装飾材であって、万線層は一対の万線模様を上下に重ねて形成されており、両万線模様は互いに対応するように配置された複数の区画に区分けされていると共に各区画に複数の線画を交差させないように並べてなる単位万線模様が形成されており、少なくともいずれかの万線模様を構成する各線画が透過性を有しており、両万線模様の単位万線模様は傾きの違いによって複数種類に種別できると共に各種類の万線模様が所定パターンで配列されており、両万線模様の互いに対応する区画に形成された単位万線模様は一方の単位万線模様を構成する各線画が他方の単位万線模様を構成する少なくとも一つの線画に対して交差するように重なっており、万線層の上面を構成する各線画の面が突起状に形成されていると共に下面を構成する各線画の面が平坦状に形成されており、反射層の反射面が万線層の下面を構成する各線画の面形状に沿った平坦形状に形成されていると共に装飾材の最上面が万線層の上面を構成する各線画の面形状に沿った凹凸形状に形成されているものである。
【発明の効果】
【００１４】
本発明によれば、両万線模様の互いに対応する区画に形成された単位万線模様を一方の単位万線模様を構成する各線画が他方の単位万線模様を構成する少なくとも一つの線画に対して交差するように重ねることにより、両万線模様を構成する各線画を傾斜するように交差させて重ねることにより、反射層の反射面の上方に両万線模様が積層された部分、いずれか一方の万線模様が積層された部分及びいずれの万線模様も積層されていない部分の三つの部分を形成し、かつ、万線層の上面又は下面のいずれか一方を構成する各線画の面を平坦状に形成すると共に他方を構成する各線画の面を突起状に形成し、反射層の反射面を万線層の下面を構成する各線画の面形状に沿った形状に形成すると共に装飾材の最上面を万線層の上面を構成する各線画の面形状に沿った形状に形成したので、前記各部分において反射層の反射面によって反射される光の輝度に違いが生じて織組織を構成する繊維の光沢を再現することができ、かつ、観者が目視する方向を移動させることで各部分の反射光が両万線模様に沿って移動して織組織を構成する繊維の立体感を再現することができる。
【００１５】
従って、本発明の産業上利用性は非常に高いといえる。
【図面の簡単な説明】
【００１６】
【図１】実施の形態１に係る装飾材を示した断面図である。
【図２】図１に示す装飾材の第一万線層の一部を示した平面図である。
【図３】図１に示す装飾材の第二万線層の一部を示した平面図である。
【図４】図１に示す装飾材の一部を示した平面図である。
【図５】図４に示す装飾材における任意の区画を示した平面図である。
【図６】図５に示す装飾材における任意の区画の断面を示した断面図である。
【図７】実施の形態２に係る装飾材における任意の区画を示した断面図である。
【図８】実施の形態３に係る装飾材を示した断面図である。
【図９】図８に示す装飾材の第一万線層の一部を示した平面図である。
【図１０】図８に示す装飾材の第二万線層の一部を示した平面図である。
【図１１】図８に示す装飾材の一部を示した平面図である。
【図１２】図１１に示す装飾材における任意の区画を示した拡大平面図である。
【図１３】図１２に示す装飾材における任意の区画の断面を示した断面図である。
【図１４】実施の形態４に係る装飾材における任意の区画を示した断面図である。
【図１５】実施の形態５に係る装飾材における任意の区画を示した平面図である。
【図１６】実施の形態６に係る装飾材における任意の区画を示した平面図である。
【図１７】実施の形態７に係る装飾材における任意の区画を示した平面図である。
【発明を実施するための形態】
【００１７】
以下、本発明の実施の形態を説明する。
【００１８】
実施の形態１．
【００１９】
本実施の形態に係る装飾材１は、図１に示すように、基材層２と、基材層２に積層される万線層３と、万線層３に積層される反射層４とから構成されている。なお、装飾材１は、観者が基材層２側から目視するものであり、観者が上方から目視する場合には、反射層４の上方に万線層３が積層された状態となる。
【００２０】
基材層２は、万線層３が積層させる面が平坦状に形成されたフィルム状のものを使用すればよい。また、基材層２越しに万線層３及び反射層４を視認できる必要があるため、透過性を有するものを使用すればよい。なお、基材層２越しに各層３，４を視認できるのであれば、有色・無色のいずれであってもよい。具体的には、PET、ポリカーボネート又は塩化ビニルなどの合成樹脂からなるフィルムを使用すればよい。
【００２１】
万線層３は、上側万線模様５と下側万線模様６とを上下に重ねて積層することによって形成されている。そして、上側万線模様５は、図２に示すように、四枚斜文織（両面）の織物の表面に現れる織組織に対応する複数の区画７（図２中、点線にて示す。）に区分けされていると共に、下側万線模様６は、図３に示すように、四枚斜文織（両面）の織物の表面に現れる織組織に対応する複数の区画８（図３中、点線にて示す。）に区分けされている。また、図４に示すように、両万線模様５，６は、互いに上下で対応するように区分けされており、両万線模様５，６を上下に重ねて積層することによって両万線模様５，６の複数の区画７，８（図４中、点線にて示す。）が上下で一致するように重なる。なお、図２乃至図４において複数の区画を示す点線は、複数の区画７，８の境界を示すための仮想線であって万線層３を構成するものではない。
【００２２】
上側万線模様５の各区画７には、図２に示すように、それぞれ６本の直線状の線画９を所定ピッチで平行に並べてなる単位万線模様１０が形成されており、いずれの単位万線模様１０も同一の態様になっている。
【００２３】
上側万線模様５の各単位万線模様１０は、単位万線模様１０を構成する線画９の内で基準となる一つの線画９´に対して所定方向に伸びる基準線αの傾きの違いによって複数の種類に種別することができる。具体的には、上側万線模様５の各単位万線模様１０は、単位万線模様１０を構成する６本の線画９の内で中央左寄りに位置する基準となる線画９´に対して平行方向に伸びる基準線αの傾きの違いによって２種類に種別することができ、上側万線模様５に対して横方向に伸びる線を標準線Ｘ1とすると、標準線Ｘ1に対して基準線αの傾きが９０度である単位万線模様１０ａと標準線Ｘ1に対して基準線αの傾きが０度である単位万線模様１０ｂとに種別することができる。
【００２４】
そして、単位万線模様１０ａは、上側万線模様５における複数の区画７の内で織物の表面に現れる織組織の経糸が位置付けられる区画７に配置され、単位万線模様１０ｂは、上側万線模様５における複数の区画７の内で織物の表面に現れる織組織の緯糸が位置付けられる区画７に配置され、単位万線模様１０が織物の表面に現れる織組織を表現するパターンで配列された状態となる。これにより、単位万線模様１０ａを構成する各線画９によって織物の表面に現れる織組織の経糸が表現されると共に、単位万線模様１０ｂを構成する各線画９によって織物の表面に現れる織組織の緯糸が表現される。
【００２５】
下側万線模様６の各区画８には、図３に示すように、それぞれ７本の直線状の線画１１を所定ピッチで平行に並べてなる単位万線模様１２が形成されており、いずれの単位万線模様１２も同一の態様になっている。
【００２６】
下側万線模様６の各単位万線模様１２は、単位万線模様１２を構成する線画１１の内で基準となる一つの線画１１´に対して所定方向に伸びる基準線βの傾きの違いによって複数の種類に種別することができる。具体的には、下側万線模様６の各単位万線模様１２は、単位万線模様１２を構成する７本の線画１１の内で中央に位置する基準となる線画１１´に対して平行方向に伸びる基準線βの傾きの違いによって２種類に種別することができ、下側万線模様６に対して横方向に伸びる線を標準線Ｘ2とすると、標準線Ｘ2に対する基準線βの傾きが反時計回りに約９５度である単位万線模様１２ａと標準線Ｘ2に対する基準線βの傾きが反とけ回りに約５度である単位万線模様１２ｂとに種別することができる。
【００２７】
そして、単位万線模様１２ａは、下側万線模様６における複数の区画８の内で織物の表面に現れる織組織の経糸が位置付けられる区画８に配置され、単位万線模様１２ｂは、下側万線模様６における複数の区画８の内で織物の表面に現れる織組織の緯糸が位置付けられる区画８に配置され、単位万線模様１２が織物の表面に現れる織組織を表現するパターンで配列された状態となる。これにより、単位万線模様１２ａを構成する各線画１１によって織物の表面に現れる織組織の経糸が表現されると共に、単位万線模様１２ｂを構成する各線画１１によって織物の表面に現れる織組織の緯糸が表現される。
【００２８】
そして、図４に示すように、両万線模様５，６を複数の区画７，８が一致するように重ねた状態において、両万線模様５，６の互いに対応する区画７，８に形成された単位万線模様１０，１２は、図５に示すように、単位万線模様１０を構成する各線画９が単位万線模様１２を構成する二つの線画１１に対して傾斜するように交差して重なった状態になっている。なお、単位万線模様１０ａの傾きと単位万線模様１２ａの傾きの差と単位万線模様１０ｂの傾きと単位万線模様１２ｂの傾きの差とが同一であるため、いずれの線画１０も線画１１に対して同一角度で傾斜するように交差して重なった状態となる。
【００２９】
また、両単位万線模様１０，１２が重なった状態において、単位万線模様１０を構成する一つの線画９は、単位万線模様１２を構成する隣接する二つの線画１１の間に跨るように配置されている。即ち、線画９の一端が隣接する二つの線画１１の内で一方の線画１１の一端と重なり合うと共に、線画９の他端が隣接する二つの線画１１の内で他方の線画１１の他端と重なり合っている。これにより、図６の（ａ）及び図６の（ｃ）に示すように、両単位万線模様１０，１２を構成する線画９，１１の両端に向かうに伴って両単位万線模様１０，１３を構成する線画９，１１の重なり度合いが増加し、図６の（ｂ）に示すように、両単位万線模様１０，１３を構成する線画９，１１の中央に向かうに伴って両単位万線模様１０，１３を構成する線画９，１１の重なり度合いが減少する。
【００３０】
両万線模様５，６を構成する各線画９，１１は、スクリーン印刷等の印刷方法を用いてインクによって形成すればよい。また、少なくともいずれかの万線模様を構成する線画が透過性を有するものであればよい。さらに、両万線模様を構成する線画は、有色・無色のいずれであってもよい。なお、一方の万線模様を構成する線画が無色透明であり、かつ、他方の万線模様を構成する線画が有色透明であることがより好ましい。
【００３１】
なお、両万線模様５，６は、基材層２にインクを印刷することによって形成されているため、図６に示すように、両万線模様５，６を構成する各線画９，１１の基材層２と対向する面は平坦状に形成されていると共に同一平面状に並んでおり、また、基材層２と対向する面と反対側の面は突起状に形成されている。これにより、万線層３の下面を構成する各線画９，１１の面が突起状に形成されると共に、万線層３の上面を構成する各線画９，１１の面が平坦状に形成される。なお、装飾材１の最上面となる基材層２の上面は、万線層３の上面を構成する各線画９，１１の面に沿った平坦状に形成されている。
【００３２】
反射層４は、万線層３の下面を被覆するように積層されており、万線層３と対向する下面が鏡面光沢を有する反射面１３となっている。よって、反射層４の反射面１３は、万線層３の下面を構成する各線画９，１１の面形状に沿うように凹凸形状に形成されている。なお、反射層４は、アルミニウムなどの金属粉末を含有する高輝度インクを使用し、スクリーン印刷等の印刷方法によって形成してもよく、また、金属を蒸着させることによって形成してもよい。
【００３３】
また、両万線模様５，６を構成する線画９，１１を形成するインクとしては、溶剤インクや紫外線硬化インクを使用すればよい。また、溶剤インクとしては、１液型のものであってもよく、２液型のものであってもよい。但し、反射層５を高輝度インクによって形成する場合には、一方又は双方の万線模様を構成する線画を形成するインクとして１液型の溶剤インクを使用すると、両万線模様を被覆するように高輝度インクを積層した際に、高輝度インクによって１液型の溶剤インクが溶解して両インクが混合し、これにより、反射層の反射面の反射率が低下する可能性があるため、高輝度インクによって溶解されない２液型の溶剤インクや紫外線硬化インクを使用することが好ましい。
【００３４】
なお、本実施の形態によれば、両万線模様の互いに対応する区画に形成された単位万線模様を一方の単位万線模様を構成する各線画が他方の単位万線模様を構成する少なくとも一つの線画に対して交差するように重ねることにより、両万線模様を構成する各線画を傾斜するように交差させて重ねることにより、反射層の反射面の上方に両万線模様が積層された部分、いずれか一方の万線模様が積層された部分及びいずれの万線模様も積層されていない部分の三つの部分を形成し、かつ、万線層の上面又は下面のいずれか一方側を構成する各線画の面を平坦状に形成すると共に他方側を構成する各線画の面を突起状に形成し、反射層の反射面を万線層の下面を構成する各線画の面形状に沿った形状に形成すると共に装飾材の最上面を万線層の上面を構成する各線画の面形状に沿った形状に形成したので、前記各部分において反射層の反射面によって反射される光の輝度に違いが生じて織組織を構成する繊維の光沢を再現することができ、かつ、観者が目視する方向を移動させることで各部分の反射光が両万線模様に沿って移動して織組織を構成する繊維の立体感を再現することができる。
【００３５】
なお、本実施の形態に係る装飾材１の変形例として、反射層の上方に透過性を有する着色層を積層することによって装飾材を着色してもよい。
【００３６】
実施の形態２．
【００３７】
本実施の形態は前記実施の形態に係る装飾材の変形例であり、図７において、図１〜図６と同一符号は同一又は相当部分を示している。
【００３８】
本実施の形態に係る装飾材１４は、図７に示すように、基材層２と、基材層２に積層される万線層３と、万線層３に積層される着色層１５と、着色層１５に積層される反射層４とから構成されている。なお、装飾材１４は、観者が基材層２側から目視するものであり、観者が上方から目視する場合には、反射層４の上方に万線層３が積層された状態となる。そして、着色層１５は、万線層３の下面を構成する各線画９，１１の面形状に沿った薄膜状に形成されているため、万線層３の下面に対して着色層１５を介して積層される反射層４の反射面１３は、万線層３の下面を構成する各線画９，１１の面形状に沿った凹凸形状に形成される。なお、基材層２、万線層３の万線模様５，６を構成する各線画９，１１及び着色層１５は、いずれも透過性を有している。また、上側万線模様５を構成する各線画９は、着色層１５と同系色に着色されており、下側万線模様６を構成する各線画１１は、無色になっている。
【００３９】
本実施の形態によれば、反射層の上方に着色層を積層し、かつ、万線層を構成する一方の万線模様を構成する各線画を着色層と同系色に着色したので、着色層と一方の万線模様を構成する各線画が重なった部分と重なっていない部分において色彩の濃淡が生じて織組織を構成する繊維の立体感を強調することができる。
【００４０】
なお、本実施の形態においては、反射層と万線層との間に着色層が積層されているが、反射層の上方に積層されていればよく、両万線模様の間又は万線層と基材層の間或いは基材層の上面に積層してもよい。
【００４１】
実施の形態３．
【００４２】
本実施の形態に係る装飾材１６は、図８に示すように、基材層１７に積層された反射層１８と、反射層１８に積層される万線層１９と、万線層１９に積層される保護層２０とから構成されている。なお、装飾材１６は、観者が保護層２０側から目視するものであり、観者が上方から目視する場合には、反射層１８の上方に万線層１９が積層された状態となる。
【００４３】
基材層１７は、反射層１８が積層させる面が平坦状に形成されたものを使用すればよい。具体的には、基材層１７としてフィルム状のものを使用する場合には、PET、ポリカーボネート又は塩化ビニルなどの合成樹脂からなるフィルムを使用すればよい。また、基材層１７は、フィルム状のものに限定されず、例えば、平坦状の表面を有する容器の外壁であってもよい。
【００４４】
反射層１８は、基材層１７の平坦状に形成された面に積層されており、反射層１８の上面が鏡面光沢を有する反射面２９となっている。よって、反射層１８の反射面２９は、平坦状に形成されている。なお、反射層１８は、アルミニウムなどの金属粉末を含有する高輝度インクを使用し、スクリーン印刷等の印刷方法によって形成してもよく、また、金属を蒸着させることによって形成してもよい。
【００４５】
万線層１９は、上側万線模様２１と下側万線模様２２とを上下に重ねて積層することによって形成されている。そして、上側万線模様２１は、図９に示すように、平織の織物の表面に現れる織組織に対応する複数の区画２３（図９中、点線にて示す。）に区分けされていると共に、下側万線模様２２は、図１０に示すように、平織の織物の表面に現れる織組織に対応する複数の区画２４（図１０中、点線にて示す。）に区分けされている。また、図１１に示すように、両万線模様２１，２２は、互いに上下で対応するように区分けされており、両万線模様２１，２２を上下に重ねて積層することによって両万線模様２１，２２の複数の区画２３，２４（図１１中、点線にて示す。）が上下で一致するように重なる。なお、図９乃至図１１において複数の区画を示す点線は、複数の区画２３，２４の境界を示すための仮想線であって万線層１９を構成するものではない。
【００４６】
上側万線模様２１の各区画２３には、図９に示すように、それぞれ５本の直線状の線画２３を所定ピッチで平行に並べてなる単位万線模様２６が形成されており、いずれの単位万線模様２６も同一の態様になっている。
【００４７】
上側万線模様２１の各単位万線模様２６は、単位万線模様２６を構成する線画２５の内で基準となる一つの線画２５´に対して所定方向に伸びる基準線αの傾きの違いによって複数の種類に種別することができる。具体的には、上側万線模様２１の各単位万線模様２６は、単位万線模様２６を構成する５本の線画２５の内で中央に位置する基準となる線画２５´に対して平行方向に伸びる基準線αの傾きの違いによって２種類に種別することができ、上側万線模様２１に対して横方向に伸びる線を標準線Ｘ1とすると、標準線Ｘ1に対して基準線αの傾きが９０度である単位万線模様２６ａと標準線Ｘ1に対して基準線αの傾きが０度である単位万線模様２６ｂとに種別することができる。
【００４８】
そして、単位万線模様２６ａは、上側万線模様２１における複数の区画２３の内で織物の表面に現れる織組織の経糸が位置付けられる区画２３に配置され、単位万線模様２６ｂは、上側万線模様２１における複数の区画２３の内で織物の表面に現れる織組織の緯糸が位置付けられる区画２３に配置され、各単位万線模様２６が織物の表面に現れる織組織を表現するパターンで配列された状態となる。これにより、単位万線模様２６ａを構成する各線画２３によって織物の表面に現れる織組織の経糸が表現されると共に、単位万線模様２６ｂを構成する各線画２３によって織物の表面に現れる織組織の緯糸が表現される。
【００４９】
下側万線模様２２の各区画２４には、図１０に示すように、それぞれ５本の直線状の線画２７を所定ピッチで平行に並べてなる単位万線模様２８が形成されており、いずれの単位万線模様２８も同一の態様になっている。
【００５０】
下側万線模様２２の各単位万線模様２８は、単位万線模様２８を構成する線画２７の内で基準となる一つの線画２７´に対して所定方向に伸びる基準線βの傾きの違いによって複数の種類に種別することができる。具体的には、下側万線模様２２の各単位万線模様２８は、単位万線模様２８を構成する５本の線画２８の内で中央に位置する基準となる線画２８´に対して平行方向に伸びる基準線βの傾きの違いによって２種類に種別することができ、下側万線模様２２に対して横方向に伸びる線を標準線Ｘ2とすると、標準線Ｘ2に対する基準線βの傾きが反時計回りに約９９度である単位万線模様２８ａと標準線Ｘ2に対する基準線βの傾きが反とけ回りに約９度である単位万線模様２８ｂとに種別することができる。
【００５１】
そして、単位万線模様２８ａは、下側万線模様２２における複数の区画２４の内で織物の表面に現れる織組織の経糸が位置付けられる区画２４に配置され、単位万線模様２８ｂは、下側万線模様２２における複数の区画２４の内で織物の表面に現れる織組織の緯糸が位置付けられる区画２４に配置され、各単位万線模様２８が織物の表面に現れる織組織を表現するパターンで配列された状態となる。これにより、単位万線模様２８ａを構成する各線画２７によって織物の表面に現れる織組織の経糸が表現されると共に、単位万線模様２８ｂを構成する各線画２７によって織物の表面に現れる織組織の緯糸が表現される。
【００５２】
そして、図１１に示すように、両万線模様２１，２２を複数の区画２３，２４が一致するように重ねた状態において、両万線模様２１，２２の互いに対応する区画２３，２４に形成された単位万線模様２６，２８は、図１２に示すように、単位万線模様２６を構成する各線画２５が単位万線模様２８を構成する一つの線画２７に対して傾斜するように交差して重なった状態になっている。なお、単位万線模様２６ａの傾きと単位万線模様２８ａの傾きの差と単位万線模様２６ｂの傾きと単位万線模様２８ｂの傾きの差とが同一であるため、いずれの線画２５も線画２７に対して同一角度で傾斜するように交差して重なった状態となる。
【００５３】
また、両単位万線模様２６，２８が重なった状態において、単位万線模様２６を構成する一つの線画２５は、単位万線模様２８を構成する一つの線画２７と中央で交差するように配置されている。これにより、図１３の（ａ）及び図１３の（ｃ）に示すように、両単位万線模様２６，２８を構成する線画２５，２７の両端に向かうに伴って両単位万線模様２６，２８を構成する線画２５，２７の重なり度合いが減少し、図１３の（ｂ）に示すように、両単位万線模様２６，２８を構成する線画２５，２７の中央に向かうに伴って両単位万線模様２６，２８を構成する線画２５，２７の重なり度合いが増加する。
【００５４】
両万線模様２１，２２を構成する各線画２５，２７は、スクリーン印刷等の印刷方法を用いてインクによって形成すればよい。また、少なくともいずれかの万線模様を構成する線画が透過性を有するものであればよい。さらに、両万線模様を構成する線画は、有色・無色のいずれであってもよい。なお、一方の万線模様を構成する線画が無色透明であり、かつ、他方の万線模様を構成する線画が有色透明であることがより好ましい。
【００５５】
なお、両万線模様２１，２２は、反射層１８にインクを印刷することによって形成されているため、図１３に示すように、両万線模様２１，２２を構成する各線画２５，２７の反射層１８と対向する面は平坦状に形成されていると共に同一平面状に並んでおり、また、反射層１８と対向する面と反対側の面は突起状に形成されている。これにより、万線層１９の上面を構成する各線画２５，２７の面が突起状に形成されると共に、万線層１９の下面を構成する各線画２５，２７の面が平坦状に形成される。
【００５６】
また、両万線模様２１，２２を構成する線画２５，２７を形成するインクとしては、溶剤インクや紫外線硬化インクを使用すればよい。また、溶剤インクとしては、１液型のものであってもよく、２液型のものであってもよい。但し、反射層５を高輝度インクによって形成する場合には、一方又は双方の万線模様を構成する線画を形成するインクとして１液型の溶剤インクを使用すると、両万線模様を被覆するように高輝度インクを積層した際に、高輝度インクによって１液型の溶剤インクが溶解して両インクが混合し、これにより、反射層の反射面の反射率が低下する可能性があるため、高輝度インクによって溶解されない２液型の溶剤インクや紫外線硬化インクを使用することが好ましい。
【００５７】
本実施の形態においても、前記実施の形態１と同様の作用効果を得ることができる。
【００５８】
なお、本実施の形態に係る装飾材の変形例として、反射層の上方に透過性を有する着色層を積層することによって装飾材を着色してもよい。
【００５９】
実施の形態４．
【００６０】
本実施の形態は前記実施の形態３に係る装飾材の変形例であり、図１４において、図８〜図１３と同一符号は同一又は相当部分を示している。
【００６１】
本実施の形態に係る装飾材３０は、図１４に示すように、基材層１７に積層された反射層１８と、反射層１８に積層される着色層３１と、着色層３１に積層される万線層１９と、万線層１９に積層される保護層２０とから構成されている。なお、装飾材３０は、観者が保護層２０側から目視するものであり、観者が上方から目視する場合には、反射層１８の上方に万線層１９が積層された状態となる。そして、着色層３１は、万線層３の上面を構成する各線画２５，２７の面形状に沿った薄膜状に形成されているため、万線層１９の上方に対して着色層３１を介して積層される保護層２０の上面、即ち、装飾材３０の最上面３２は、万線層１９の上面を構成する各線画２５，２７に沿った凹凸形状に形成される。また、万線層１９の万線模様２１，２２を構成する各線画２５，２７、着色層３１及び保護層２０は、いずれも透過性を有している。そして、上側万線模様２１を構成する各線画２５は、無色になっており、下側万線模様２２を構成する各線画２７は、着色層３１と同系色になっている。
【００６２】
本実施の形態においても前記実施の形態２と同様の作用効果を得ることができる。
【００６３】
なお、本実施の形態においては、万線層と保護層の間に着色層が積層されているが、反射層の上方に積層されていればよく、万線層と反射層の間又は両万線模様の間或いは保護層の上面に積層してもよい。
【００６４】
実施の形態５．
【００６５】
本実施の形態は前記実施の形態１における両万線模様を構成する線画の変形例であり、図１５において、図１〜図６と同一符号は同一又は相当部分を示している。
【００６６】
本実施の形態に係る上側万線模様５の単位万線模様１０は、図１５の（ａ）に示すように、５本の円弧状の線画３３を所定ピッチで平行に並べて形成されており、各線画３３は、円弧の半径が同一になっている。また、上側万線模様５の各単位万線模様１０は、単位万線模様１０を構成する各線画３３の内で中央に位置する基準となる線画３３´に対して長手方向中央に位置する頂点を通るように直交方向に伸びる基準線αの傾きの違いによって２種類に種別でき、各種類の単位万線模様１０が四枚斜文織（両面）の織物の表面に現れる織組織を表現するパターンで配列されている。
【００６７】
本実施の形態に係る下側万線模様６の単位万線模様１２も、図１５の（ｂ）に示すように、５本の円弧状の線画３４を所定ピッチで平行に並べて形成されており、各線画３４は、円弧の半径が同一になっている。また、下側万線模様５の各単位万線模様１２は、単位万線模様１２を構成する各線画３４の内で中央に位置する基準となる線画３４´に対して長手方向中央に位置する頂点を通るように直交方向に伸びる基準線βの傾きの違いによって２種類に種別でき、各種類の単位万線模様１２が四枚斜文織（両面）の織物の表面に現れる織組織を表現するパターンで配列されている。
【００６８】
そして、本実施の形態に係る両万線模様の互いに対向する区画７，８に形成された単位万線模様１０，１２は、図１５の（ｃ）に示すように、単位万線模様１０を構成する各線画３３が単位万線模様１２を構成する一つの線画３４に対して一箇所で傾斜するように交差して重なった状態となっている。
【００６９】
本実施の形態においても前記実施の形態１と同様の作用効果を得ることができる。また、本実施の形態に係る線画３３，３４は、いずれも曲線状であるため、織物の表面に現れる糸の湾曲をリアルに表現することができる。
【００７０】
なお、本実施の形態に係る両万線模様を構成する線画を前記実施の形態２乃至４に係る両万線模様に適用してもよい。
【００７１】
実施の形態６．
【００７２】
本実施の形態は前記実施の形態１における両万線模様を構成する線画の変形例であり、図１６において、図１〜図６と同一符号は同一又は相当部分を示している。
【００７３】
本実施の形態に係る上側万線模様５の単位万線模様１０は、図１６の（ａ）に示すように、５本の直線状の線画９を所定ピッチで平行に並べて形成されている。また、上側万線模様５の各単位万線模様１０は、単位万線模様１０を構成する各線画９の内で中央に位置する基準となる線画９´に対して直交方向に伸びる基準線αの傾きの違いによって２種類に種別でき、各種類の単位万線模様１０が四枚斜文織（両面）の織物の表面に現れる織組織を表現するパターンで配列されている。
【００７４】
本実施の形態に係る下側万線模様６の単位万線模様１２も、図１６の（ｂ）に示すように、５本の円弧状の線画３５を所定ピッチで並べて形成されており、各線画３５は、円弧の半径が異なっており、一方（図１６の（ｂ）中、左方向）から他方（図１６の（ｂ）中、右方向）に向かって徐々に円弧の半径が小さくなるように並べられている。また、下側万線模様５の各単位万線模様１２は、単位万線模様１２を構成する各線画３５の内で中央に位置する基準となる線画３５´に対して長手方向中央に位置する頂点を通るように直交方向に伸びる基準線βの傾きの違いによって２種類に種別でき、各種類の単位万線模様１２が四枚斜文織（両面）の織物の表面に現れる織組織を表現するパターンで配列されている。
【００７５】
そして、本実施の形態に係る両万線模様の互いに対向する区画７，８に形成された単位万線模様１０，１２は、図１６の（ｃ）に示すように、単位万線模様１０を構成する各線画９が単位万線模様１２を構成する少なくとも一つの線画３５に対して二箇所で交差して重なった状態となっている。
【００７６】
本実施の形態においても前記実施の形態１と同様の作用効果を得ることができる。また、本実施の形態に係る線画３５は、曲線状であるため、織物の表面に現れる糸の湾曲をリアルに表現することができる。
【００７７】
なお、本実施の形態に係る両万線模様を構成する線画を前記実施の形態２乃至４に係る両万線模様に適用してもよい。
【００７８】
実施の形態７．
【００７９】
本実施の形態は前記実施の形態１における両万線模様を構成する線画の変形例であり、図１７において、図１〜図６と同一符号は同一又は相当部分を示している。
【００８０】
本実施の形態に係る上側万線模様５の単位万線模様１０は、図１７の（ａ）に示すように、５本の直線状の線画９を所定ピッチで平行に並べて形成されている。また、上側万線模様５の各単位万線模様１０は、単位万線模様１０を構成する各線画９の内で中央に位置する基準となる線画９´に対して直交方向に伸びる基準線αの傾きの違いによって２種類に種別でき、各種類の単位万線模様１０が四枚斜文織（両面）の織物の表面に現れる織組織を表現するパターンで配列されている。
【００８１】
本実施の形態に係る下側万線模様６の単位万線模様１２も、図１７の（ｂ）に示すように、５本の円弧状の線画３６を所定ピッチで並べて形成されており、各線画３６は、円弧の半径が同一になっている。また、下側万線模様５の各単位万線模様１２は、単位万線模様１２を構成する各線画３６の内で中央に位置する基準となる線画３６´に対して長手方向中央に位置する頂点を通るように直交方向に伸びる基準線βの傾きの違いによって２種類に種別でき、各種類の単位万線模様１２が四枚斜文織（両面）の織物の表面に現れる織組織を表現するパターンで配列されている。
【００８２】
そして、本実施の形態に係る両万線模様の互いに対向する区画７，８に形成された単位万線模様１０，１２は、図１７の（ｃ）に示すように、単位万線模様１０を構成する各線画９が単位万線模様１２を構成する二つの線画３６に対して二箇所で交差して重なった状態となっている。
【００８３】
本実施の形態においても前記実施の形態１と同様の作用効果を得ることができる。また、本実施の形態に係る線画３６は、曲線状であるため、織物の表面に現れる糸の湾曲をリアルに表現することができる。
【００８４】
なお、本実施の形態に係る両万線模様を構成する線画を前記実施の形態２乃至４に係る両万線模様に適用してもよい。
【００８５】
本発明において再現できる織物の織組織は特に限定されず、例えば、平織、斜文織（四枚斜文織（両面）を含む）又は朱子織からなる三原組織の織物の織組織やその他の組織からなる織物の織組織であってもよい。さらに、本発明に係る装飾材は、印刷によって形成することが可能であるため、織物の織組織として存在しない組織からなる図柄を表現することもできる。
【００８６】
また、本発明においては、両万線模様を構成する各線画の交差箇所の数は、一箇所以上であればよく、二箇所以上であってもよい。
【００８７】
また、本発明における線画は、直線状及び円弧状のものに限定されず、波線状やその他の形状のものであってもよい。
【符号の説明】
【００８８】
１  装飾材
２  基材層
３  万線層
４  反射層
５  上側万線模様
６  下側万線模様
７，８  区画
９  線画
１０  単位万線模様
１１  線画
１２  単位万線模様
１３  反射面
１４  装飾材
１５  着色層
１６  装飾材
１７  基材層
１８  反射層
１９  万線層
２０  保護層
２１  上側万線模様
２２  下側万線模様
２３，２４  区画
２５  線画
２６  単位万線模様
２７  線画
２８  単位万線模様
２９  反射面
３０  装飾材
３１  着色層
３２  最上面
３３，３４  線画
３５  線画
３６  線画
【図１】
2015093423.tif 000003
【図２】
2015093423.tif 000004
【図３】
2015093423.tif 000005
【図４】
2015093423.tif 000006
【図５】
2015093423.tif 000007
【図６】
2015093423.tif 000008
【図７】
2015093423.tif 000009
【図８】
2015093423.tif 000010
【図９】
2015093423.tif 000011
【図１０】
2015093423.tif 000012
【図１１】
2015093423.tif 000013
【図１２】
2015093423.tif 000014
【図１３】
2015093423.tif 000015
【図１４】
2015093423.tif 000016
【図１５】
2015093423.tif 000017
【図１６】
2015093423.tif 000018
【図１７】
2015093423.tif 000019